(57)【要約】【課題】  負荷変動が大きい工場排水などの処理に際して、シックナーでの沈降分離が十分に行なわれるようにした排水処理方法および排水処理装置の提供。【解決手段】  凝集剤を連続的に添加して混合された排水を、シックナーで沈降分離し、清澄液を放流する排水処理方法において、シックナーに供給する排水の一部を連続的に抜き出しミニシックナー試験装置へ供給し、該ミニシックナー試験装置で生成された清澄液とフロック形成液の分離が良好な定常状態に於ける界面の位置からのズレ及び清澄液の濁度をテレビカメラで連続的に観察し、その結果に基づいて凝集剤の添加量を制御することを特徴とする排水処理方法およびその装置。【選択図】  図１
2005211891.tif 000002
【特許請求の範囲】
【請求項１】
ｐＨ調整された排水が連続的に流入される凝集槽に凝集剤を連続的に添加して混合した後、凝集槽から凝集剤が混合された排水を連続的にシックナーに供給し、シックナーで生成したフロック形成液を分離し、清澄液を放流する排水処理方法において、前記凝集槽から凝集剤が混合された排水を連続的にシックナーに供給する排水の一部を連続的に抜き出しミニシックナー試験装置へ一定量で供給し、該ミニシックナー試験装置で生成された清澄液とフロック形成液の排出量をそれぞれ一定量で行い、清澄液とフロック形成液の分離が良好な定常状態に於ける界面の位置からのズレ及び清澄液の濁度をテレビカメラで連続的に観察し、その結果に基づいて凝集剤の添加量を制御することを特徴とする排水処理方法。
【請求項２】
ｐＨ調整された排水が連続的に流入される攪拌機を備えた凝集槽（３）と、凝集剤を貯蔵する凝集剤槽（４）からの凝集剤を凝集槽（３）に連続的に添加するための流量調節弁を有する配管が凝集槽（３）に配置されており、凝集槽（３）から凝集剤が混合された排水を連続的に供給するための配管が配置されたシックナー（５）が設けられており、シックナー（５）に供給する排水の一部を連続的に抜き出す配管の先に清澄液の濁度を連続的に検査する監視カメラを備えたミニシックナー試験装置（８）を設けている排水処理装置。
【請求項３】
前記ミニシックナー試験装置（８）が、目盛りが付いた透明材質から成る清澄液とフロック形成液の分離室（８１）と、凝集剤が混合された排水の一部を連続的に抜き出し分離室（８１）へ一定量で供給する流量調節弁を備えた配管（９ａ）、分離室（８１）で分離された清澄液を一定量で排出する配管（９ｃ）、分離室（８１）で分離されたフロック形成液を一定量で排出する流量調節弁（１１ｂ）を備えた配管（９ｂ）、および清澄液とフロック形成液の分離界面の位置及び清澄液の濁度を連続的に観察するテレビカメラ（８３）からなる請求項２記載の排水処理装置。
【発明の詳細な説明】
【技術分野】
【０００１】  本発明は、工場などで発生する排水の処理方法および排水処理装置に関し、さらに詳しくは、排水をｐＨ調整した後に凝集剤を添加してフロックを形成させた後、シックナーで生成したフロックを沈降分離する排水処理方法において、シックナーでの沈降分離の状態をミニシックナー試験装置で先行して検査し、その検査結果に基づいて排水への凝集剤の添加量を制御することにより、シックナーでの沈降分離が十分に行なわれるようにした排水処理方法および排水処理装置に関する。
【背景技術】
【０００２】  従来、排水処理はｐＨ調整された排水に凝集剤を添加してフロックを形成させた後、シックナーで生成したフロックを沈降分離し、清澄液を放流する排水処理方法が行われていた。しかし、工場などで発生する排水は工場の稼動状態により排水の性状が変化するため、シックナーでのフロックの形成状態を常に観察して、排水への凝集剤の添加量を制御する必要があった。そこで、凝集剤が添加された排水のフロックの形成状態を監視しる凝集監視装置を備えた排水処理装置やそれを使用した排水処理方法が種々提案されている。【０００３】  例えば、特許文献１には、負荷変動が大きいな排水を安定して処理可能であるとともに処理コストが低く、且つ環境への影響を低減できる排水処理装置が記載されている。しかし、該排水処理装置は多数の調整槽を設置する必要があり、敷地の狭い工場などでの排水処理には適用できないと言う問題があった。
また、特許文献２には、原液に凝集剤を添加して急速混合した後、生成したフロックを分離して清浄な液を得る方法において、つぎの（ａ）〜（ｄ）の過程、すなわち、（ａ）急速混合した懸濁液の一部を連続採集する採集過程、（ｂ）採集した懸濁液をろ過するろ過過程、（ｃ）ろ過液の濁度又は色度を測定する測定過程、（ｄ）測定値を演算して凝集剤注入ポンプを制御するポンプ制御過程、を包含することを特徴とする凝集剤の注入制御方法が記載されている。しかし、該方法は、懸濁液をろ過したろ過液の濁度又は色度を測定しているために必ずしも懸濁液の沈降分離で得られる清澄液の濁度又は色度と一致しないという問題があった。【０００４】
【特許文献１】  特開２００２−２８２８８９号公報
【特許文献２】  特開平５−１４６６０８号公報
【発明の開示】
【発明が解決しようとする課題】
【０００５】  本発明の目的は、前述の問題を解決し、負荷変動が大きい工場排水などの処理に際して、凝集剤が混合された排水をミニシックナー試験装置で先行して沈降分離し、フロック形成相と清澄液相の界面の分離状態および清澄液の濁度を検査し、その検査結果に基づいて排水への凝集剤の添加量を制御することにより、本装置におけるシックナーでの沈降分離が十分に行なわれるようにした排水処理方法および排水処理装置を提供することにある。
【課題を解決するための手段】
【０００６】  本発明者らは、排水に凝集剤を添加してフロックを形成させた後、シックナーで生成したフロックを沈降分離する排水処理方法においては、シックナーでフロック形成相と清澄液相の界面が明確な相を形成することが重要であり、このフロック形成相と清澄液相の界面の相形成状態をミニシックナー試験装置で検査して、その検査結果に基づいて排水への凝集剤の添加量を制御することにより、本装置におけるシックナーでのフロック形成相と清澄液相の界面の相形成状態を良好な状態に維持することができることを見出し本発明を完成するに至った。
即ち、本発明の第１は、ｐＨ調整された排水が連続的に流入される凝集槽に凝集剤を連続的に添加して混合した後、凝集槽から凝集剤が混合された排水を連続的にシックナーに供給し、シックナーで生成したフロック形成液を分離し、清澄液を放流する排水処理方法において、前記凝集槽から凝集剤が混合された排水を連続的にシックナーに供給する排水の一部を連続的に抜き出しミニシックナー試験装置へ一定量で供給し、該ミニシックナー試験装置で生成された清澄液とフロック形成液の排出量をそれぞれ一定量で行い、清澄液とフロック形成液の分離が良好な定常状態に於ける界面の位置からのズレ及び清澄液の濁度をテレビカメラで連続的に観察し、その結果に基づいて凝集剤の添加量を制御することを特徴とする排水処理方法に関する。
本発明の第２は、ｐＨ調整された排水が連続的に流入される攪拌機を備えた凝集槽（３）と、凝集剤を貯蔵する凝集剤槽（４）からの凝集剤を凝集槽（３）に連続的に添加するための流量調節弁を有する配管が凝集槽（３）に配置されており、凝集槽（３）から凝集剤が混合された排水を連続的に供給するための配管が配置されたシックナー（５）が設けられており、シックナー（５）に供給する排水の一部を連続的に抜き出す配管の先に清澄液の濁度を連続的に検査する監視カメラを備えたミニシックナー試験装置（８）を設けている排水処理装置に関する。
本発明の第３は、前記ミニシックナー試験装置（８）が、目盛りが付いた透明材質から成る清澄液とフロック形成液の分離室（８１）と、凝集剤が混合された排水の一部を連続的に抜き出し分離室（８１）へ一定量で供給する流量調節弁を備えた配管（９ａ）、分離室（８１）で分離された清澄液を一定量で排出する配管（９ｃ）、分離室（８１）で分離されたフロック形成液を一定量で排出する流量調節弁（１１ｂ）を備えた配管（９ｂ）、および清澄液とフロック形成液の分離界面の位置及び清澄液の濁度を連続的に観察するテレビカメラ（８３）からなる請求項２記載の排水処理に関する。
【発明の効果】
【０００７】  負荷変動の大きい工場排水などの排水処理では、凝集剤が混合された排水をシックナーに供給して、フロックを生成させて沈降分離し清澄液を放流するに際して、シックナーでの沈降分離状態を見て排水への凝集剤の添加量を制御していたのでは、シックナーでの沈降分離状態が悪い場合には十分に清澄されていない排水が放出されることになる。
本発明の排水処理方法では、凝集剤が混合されたシックナーに供給する排水の一部を連続的に抜き出してミニシックナー試験装置で沈降分離状態を観察して排水への凝集剤の添加量を制御するため、沈降分離状態の悪い排水がシックナーに大量に供給される前に排水への凝集剤や凝集助剤の添加量を制御して沈降分離状態を改善するため、シックナーでの排水全体の沈降分離状態は悪くなることがなく、十分に清澄されていない排水が放出されることはない。
また、本発明の排水処理装置は、ミニシックナー試験装置を監視室に設置するだけで良く、余分な調整槽を設置する必要がないために敷地の狭い工場などでの排水処理に好適である。
【発明を実施するための最良の形態】
【０００８】  以下、添付した図面を参照しながら本発明の実施の形態を詳細に説明する。
図１は本発明の代表的な排水処理装置を示す概略図である。図１に基づいて本発明の排水処理方法を説明する。各製造設備から排出される種々の排水は、最初に混和槽（１）に集められた後、ｐＨ調整槽（２）に送られる。ｐＨ調整槽（２）で、苛性ソーダまたは硫酸を添加して排水のｐＨを６〜８の範囲に調整する。ｐＨ調整された排水は連続的に攪拌機を備えた凝集槽（３）に移送される。該凝集槽（３）では、高分子凝集剤などの凝集剤を溶解した溶液を貯蔵する凝集剤槽（４）から凝集剤が流量調節弁（１１）を有する配管（９）を経て凝集槽（３）に連続的に添加される。この場合、凝集剤と共に硫酸アルミニウムなどの凝集助剤が併用されることがある。凝集剤が混合された排水は凝集槽（３）から配管（９）によりシックナー（５）に連続的に移送される。シックナー（５）では、生成したフロックを分離し、清澄液を配管（９）により工場外へ放流する。一方、シックナー（５）で分離されたフロックは、一旦濃縮槽（６）に貯えられた後、プレスフィルター（７）にかけ、固液分離を行う。プレスフィルター（７）で分離された液は、配管（９）により混和槽（１）に戻され、分離された固形分は集めて工場外の埋め立て地に捨てられる。
前記排水処理において、凝集剤が混合された排水が凝集槽（３）からシックナー（５）に連続的に移送される配管（９）から分岐した流量調節弁（１１）を有する配管（９）により、凝集剤が混合された排水の一部を連続的に抜き出してミニシックナー試験装置（８）に供給し、該ミニシックナー試験装置（８）で清澄液とフロック形成液の界面及び清澄液の濁度を連続的に検査し、検査結果に基づいて凝集剤の添加量を制御することを特徴とする。【０００９】  図２は、前述のミニシックナー試験装置の詳細図である。該ミニシックナー試験装置（８）は、目盛り（８２）が付いたアクリル樹脂板などの透明材質から成る清澄液とフロック形成液の分離室（８１）と、凝集剤が混合された排水の一部を連続的に抜き出し分離室（８１）へ一定量で供給する流量調節弁を備えた配管（９ａ）、分離室（８１）で分離された清澄液を一定量で排出する配管（９ｃ）、清澄液とフロック形成液の分離室（８１）で分離されたフロック形成液を排出する流量調節弁（１１ｂ）およびポンプ（１０ｂ）を備えた配管（９ｂ）、および清澄液とフロック形成液の分離界面の位置及び清澄液の濁度を連続的に観察するテレビカメラ（８３）とからなる。テレビカメラ（８３）で観察された結果は、正常状態の清澄液とフロック形成液の分離界面の上昇、フロック形成液の上昇に伴う清澄液透明性の悪化などをコンピューターによって数値解析し、その結果に基づいて凝集剤添加量の増減、及び凝集助剤の添加有無などの制御、又は警報等によるシックナー処理水の監視を行う。清澄液とフロック形成液の分離を行う分離室（８１）の大きさは、約３０リットル程度の容量有し、該容量の約４０％程度が分離したフロック形成液の排出が容易になる様に逆台形の形状にしている。配管（９ａ）から分離室（８１）に流入する排水量と分離室（８１）から配管（９ｃ）により排出される清澄液量および配管（９ｂ）から排出されるフロック形成液量はバランスしている。配管（９ａ）からの分離室（８１）への排水の流入は、排水が清澄液とフロック形成液の界面で広がる様に流速が調整される。分離された清澄液を排出する配管（９ｃ）が２つあるのは、分離室（８１）での清澄液の流れを均一するためである。配管（９ｂ）から排出されるフロック形成液は工場排水として混和槽（１）に戻される。
なお、本発明の排水処理装置は、図１および図２の装置に限定されるものではない。
【図面の簡単な説明】
【００１０】
【図１】  本発明の代表的な排水処理装置を示す。
【図２】  本発明の代表的なミニシックナー試験装置を示す。
【符号の説明】
【００１１】１    混和槽
２    ｐＨ調整槽
３    凝集槽
４    凝集剤槽
５    シックナー
６    濃縮槽
７    プレスフィルター
８    ミニシックナー試験装置
９    配管
１０  ポンプ
１１  流量調節弁
１２  攪拌機
８１  清澄液とフロック形成液の分離室
８２  目盛り
８３  テレビカメラ
９ａ  凝集剤が混合された排水供給用配管
９ｂ  フロック形成液排出用配管
９ｃ  清澄液排出用配管
１０ｂポンプ
１１ｂ流量調節弁
【図１】
2005211891.tif 000003
【図２】
2005211891.tif 000004